(57)【特許請求の範囲】
【請求項１】
内部に複数のサーバコンピュータを収容する空間を規定する筐体を持つサーバラックであって、
前記筐体は、いずれも開口部が形成された前半部及び後半部を持ち、
前記筐体の内部空間は、複数のサーバ及び当該複数のサーバのアクセスポイントとなるスイッチとを内部に収容することによって、前記複数のサーバのケース及び前記スイッチのケースにより前記前半部と前記後半部とに分離され、前記複数のサーバ及び前記スイッチは、背面が前記後半部側を向く様に配置され、かつ前記複数のサーバの各々及び前記スイッチは、背面に設けられた、通信モジュールが装着される装着口を持ち、
前記筐体の、前記複数のサーバ及び前記スイッチにより前記前半部と分離される前記後半部を画定する内面のうち、前記開口部が設けられた内面を除く少なくとも一部に、電波吸収材が設置されている、サーバラック。
【請求項２】
前記筐体は、天板、底板、２枚の側板、並びにいずれも開口部が設けられた前面扉及び背面扉からなる、内部が空洞の直方体形状を有し、
前記複数のサーバ及び前記スイッチは、前記筐体により規定される内部空間において、前記背面扉とある距離を隔てるように前記筐体内部に収容固定され、それによって、前記背面扉と、前記底板及び天板と、前記２枚の側板と、前記複数のサーバのケース背面及び前記スイッチのケース背面とによって前記後半部が規定され、
前記電波吸収材は、前記天板、前記底板、前記２枚の側板のうちの少なくとも１つの内面の、前記後半部内の領域に設置される、請求項１に記載のサーバラック。
【請求項３】
前記開口部はいずれもメッシュ状であり、メッシュの開口の大きさが前記ラック内で行われる無線通信で使用される電波の半波長よりも小さい、請求項１又は請求項２に記載のサーバラック。
【請求項４】
前記前半部の前記天板、前記底板、前記２枚の側板のいずれの内面にも電波吸収体が設置されていない、請求項１〜請求項３のいずれかに記載のサーバラック。
【請求項５】
内部に複数のサーバコンピュータを収容する空間を規定する筐体を持つサーバラックと、
前記サーバラックにより規定される前記空間に、前記サーバラックにより規定される空間を前半部及び後半部に分割するように収容された複数のサーバと、
前記複数のサーバのアクセスポイントとなるスイッチとを含むサーバ集合体であって、
前記筐体の前記前半部及び後半部には、いずれも開口部が形成されており、
前記複数のサーバ及び前記スイッチは、ケース背面が前記後半部側を向く様に配置され、かつ前記複数のサーバの各々及び前記スイッチは、ケース背面に設けられた、通信モジュールが装着される装着口を持ち、
前記筐体の、前記後半部を画定する内面のうち、前記開口部が設けられた内面を除く少なくとも一部に、電波吸収材が設置されており、
前記複数のサーバの各々のケース背面及び前記スイッチのケース背面の前記装着口には、無線通信を行うための通信モジュールが装着され、
前記電波吸収材は、前記装着口に装着された前記通信モジュールのアンテナが電波を放射する方向に設置される、サーバ集合体。
【請求項６】
前記筐体は、天板、底板、２枚の側板、並びにいずれも前記開口部が設けられた前面扉及び背面扉からなる内部が空洞の直方体形状を有し、
複数のサーバ及び前記スイッチは、前記筐体により規定される内部空間において、前記背面扉とある距離を隔てるように前記筐体内部に収容固定され、それによって、前記背面扉と、前記底板及び天板と、前記２枚の側板と、前記複数のサーバの背面とによって前記後半部が規定され、
前記電波吸収材は、前記天板、前記底板、前記２枚の側板のうちの少なくとも１つの内面の、前記後半部内の領域に設置されている、請求項５に記載のサーバ集合体。
【請求項７】
前記開口部はいずれもメッシュ状であり、メッシュの開口の大きさが前記ラック内で前記通信モジュールにより行われる無線通信で使用される電波の半波長よりも小さい、請求項５又は請求項６に記載のサーバ集合体。
【請求項８】
前記通信モジュールの前記アンテナは、アンテナ軸が前記背面扉に対して垂直となるように設置されたダイポールアンテナ又はモノポールアンテナを含む、請求項６又は請求項７に記載のサーバ集合体。
【請求項９】
前記通信モジュールの前記アンテナは、アンテナが形成された基板が前記天板、前記底板、及び前記２枚の側板のうち、前記電波吸収材が設置された部材の方向を向くように形成されたスロットアンテナを含む、請求項６又は請求項７に記載のサーバ集合体。
【請求項１０】
前記前半部の前記天板、前記底板、前記２枚の側板のいずれの内面にも電波吸収体が設置されていない、請求項５〜請求項９のいずれかに記載のサーバ集合体。
【発明の詳細な説明】
【技術分野】
【０００１】
この発明は、多数のサーバを収容するサーバラックに関し、特に、サーバラック内における高速データ伝送のための無線通信を可能とするサーバラックと、そのサーバラックと内部に収容された複数のサーバとからなるサーバ集合体に関する。
【背景技術】
【０００２】
クラウドサービスの進展に伴って、ネットワークを介して大量のデータを蓄積するデータセンタが増加している。データセンタにはサーバ等の多数の機器が使用されている。データセンタは、その性格上、毎日２４時間、年間３６５日、休みなく稼働している必要がある。その結果、各データセンタでは年間を通じて多大な電力が消費される。このため、データセンタ全体の低消費電力化は喫緊の課題である。サーバ自体が電力を消費する上、サーバが過熱してエラーが発生するのを防ぐためにサーバを冷却しなければならない。データセンタで消費される電力の内、サーバ等の機器による消費電力はもちろん、サーバ等を冷却するための空調電力の割合も非常に大きい。
【０００３】
一般的なデータセンタでは、効率よくサーバを運用するために、各々が複数のサーバを収容する多数のサーバラックが稠密に設置される。典型的には、１台のサーバラックは４０台程度のサーバを収容する。各サーバラックは冷却装置からの冷却空気が流れるように配置されている。
【０００４】
例えば図１に示すように、典型的なサーバラック３０は、高さ約２．２ｍ、幅約０．７ｍ、奥行き約１．２ｍの直方体形状になっている。この内部に多数の薄型サーバが収容される。サーバラック３０の全体は、いずれも金属製の底板４０、天板４２、２枚の側板４４及び側板４６、背面扉４８並びに前面扉５０からなっている。前面扉５０は開閉可能であり、開口５２が設けられ、多くの場合開口５２は金属のメッシュ状になっている。図示していないが、背面扉４８についても同様である。この前面扉５０の開口５２を通して冷却気流がサーバラック３０内に供給され、背面扉４８の開口を通して外部に排出される。冷却気流はこれと逆の経路で供給されても良い。
【０００５】
しかし、このようなデータセンタでのサーバの運用には以下の様な問題がある。サーバラック内では、通信のために各サーバとスイッチとを接続する必要がある。この接続はイーサネット（登録商標）ケーブル等の通信ケーブルによって行われている。しかし、サーバが多数あると、これらケーブルが錯綜してサーバのメンテナンスが煩雑になる上、ケーブルによって冷却気流が妨げられ、冷却効率が大幅に低下するといわれている。
【０００６】
こうした問題を解決する１つの方法は、データサーバにおけるサーバとスイッチ間の通信を無線化することである。そうすれば、ケーブルによる冷却効率の低下の問題が改善され、データサーバの低消費電力化に大きく貢献できる。さらには、通信ケーブルの存在によって煩雑化していたメンテナンスコストも低減できる。
【０００７】
しかし、データセンタにおける通信を全て無線通信とすることには大きな問題がある。データセンタ内には多数のサーバラックが稠密に設置されており、使用されている通信ケーブルは膨大な数に上る。しかもデータセンタにおける通信は高速でなければならない。そのため、ケーブルによる通信をすべて無線化し、かつ高速な通信速度を保証するとなると、必要な周波数帯域が非現実的な値になって実現不可能である。したがって、サーバラックごとに通信電波を閉じ込め、同じ周波数帯域をすべてのサーバラックで共用することが現実的である。
【０００８】
サーバラックは通常金属でできているので、電波を閉じ込めることは比較的容易である。しかし、金属で閉じ込められた空間で無線通信を行うと、電波がサーバラック内の壁面等の金属面で多重反射し、無線通信にとっては極めて厳しい環境になる。多重反射が存在すると、主波に加えて多数の遅延波が受信される。その結果、時系列に並んだ変調シンボルの間で遅延波による干渉が発生する。
【０００９】
遅延波によるシンボル間の変調に強い変調方式としてＯＦＤＭ（直交周波数分割多重）がある。ＯＦＤＭ変調では、各シンボルの先頭にサイクリックプリフィックスを付加しガードインターバル期間を設ける。この結果、この期間内に到着した遅延波の干渉は避けることができる。特に、サーバラック内の通信方式として考えられる有力な方式の一つとして、６０ＧＨｚ帯のＩＥＥＥ  ８０２．１１ａｄ規格のＯＦＤＭ変調がある。このＯＦＤＭ変調では、ガードインターバル期間が４８．４ｎｓである。したがって、大きなレベルの遅延波が主波に対して４８．４ｎｓ以内の遅延であればシンボル間干渉を無視して通信できる。しかし、ＩＥＥＥ  ８０２．１１ａｄは室内での使用を想定した規格であり、サーバラックのような狭小金属空間内での使用は想定されていない。したがって、ＩＥＥＥ  ８０２．１１ａｄをサーバラック内で使用した場合、長遅延波の存在が懸念される。
【００１０】
この問題を解決する最も単純な対策は、サーバラックの内面の全てに電波吸収体を設けることである。しかし、そのような構成にするとサーバラックのコストが高くなるという問題がある。そこで長遅延の問題を解消しつつコストの問題も小さくするための発明が、後掲の特許文献１に開示されている。特許文献１に記載された発明は、狭小筐体内で遅延波を抑制するために、筐体の内面のうち、露出する面積が最大となる面のみに電波吸収体を設けるというものである。この電波吸収体により、反射波を抑制し、遅延波を低減することができるとされている。
【先行技術文献】
【特許文献】
【００１１】
【特許文献１】特開2007-150256
【発明の概要】
【発明が解決しようとする課題】
【００１２】
特許文献１に記載の発明は、すべての内面に電波吸収体を設ける代わりに、最大面のみに電波吸収体を設けることで、安価かつ容易に設置でき、なおかつ効果的に遅延波を低減するものである。しかし、サーバラックには単純にこの発明を適用することはできない。複数のサーバをサーバラックに収容する場合、サーバラックで筐体内部の空間に露出する面積が最大となる面は、図１に示す前面扉５０である。しかし、通常、前面扉５０には、メッシュ状の開口５２が形成されており、冷却空気の通り道になっている。したがって、開口５２に電波吸収体を設置することは非現実的である。
【００１３】
それ故にこの発明は、サーバラックのように冷却空気の通り道を確保する必要がある筐体内において、無線通信における遅延波を効率的に抑制できるサーバラック、及びそのサーバラックと、当該サーバラック内に収容された複数のサーバからなるサーバ集合体を提供することを目的とする。
【課題を解決するための手段】
【００１４】
本発明の第１の局面に係るサーバラックは、内部に複数のサーバコンピュータを収容する空間を規定する筐体を持つ。筐体は、いずれも開口部が形成された前半部及び後半部を持つ。筐体の内部空間は、複数のサーバを内部に収容することによって、当該複数のサーバのケースにより前半部と後半部とに分離される。複数のサーバは、背面が後半部側を向く様に配置され、かつ複数のサーバの各々は、背面に設けられた、通信モジュールが装着される装着口を持つ。筐体の、複数のサーバにより前半部と分離される後半部を画定する内面のうち、開口部が設けられた内面を除く少なくとも一部に、電波吸収材が設置されている。
【００１５】
好ましくは、筐体は、天板、底板、２枚の側板、並びにいずれも開口部が設けられた前面扉及び背面扉からなる、内部が空洞の直方体形状を有する。複数のサーバは、筐体により規定される内部空間において、背面扉とある距離を隔てるように筐体内部に収容固定され、それによって、背面扉と、底板及び天板と、２枚の側板と、複数のサーバのケース背面とによって後半部が規定される。電波吸収材は、天板、底板、２枚の側板のうちの少なくとも１つの内面の、後半部内の領域に設置される。
【００１６】
より好ましくは、開口部はいずれもメッシュ状であり、メッシュの開口の大きさがラック内で行われる無線通信で使用される電波の半波長よりも小さい。
【００１７】
さらに好ましくは、前半部の天板、底板、２枚の側板のいずれの内面にも電波吸収体が設置されていない。
【００１８】
本発明の第２の局面に係るサーバ集合体は、内部に複数のサーバコンピュータを収容する空間を規定する筐体を持つサーバラックと、サーバラックにより規定される空間に、サーバラックにより規定される空間を前半部及び後半部に分割するように収容された複数のサーバとを含むサーバ集合体である。筐体の前半部及び後半部には、いずれも開口部が形成されている。複数のサーバは、ケース背面が後半部側を向く様に配置され、かつ複数のサーバの各々は、ケース背面に設けられた、通信モジュールが装着される装着口を持つ。筐体の、後半部を画定する内面のうち、開口部が設けられた内面を除く少なくとも一部に、電波吸収材が設置されている。複数のサーバの各々のケース背面の装着口には、無線通信を行うための通信モジュールが装着される。電波吸収材は、装着口に装着された通信モジュールのアンテナが電波を放射する方向に設置される。
【００１９】
好ましくは、筐体は、天板、底板、２枚の側板、並びにいずれも開口部が設けられた前面扉及び背面扉からなる内部が空洞の直方体形状を有する。複数のサーバは、筐体により規定される内部空間において、背面扉とある距離を隔てるように筐体内部に収容固定され、それによって、背面扉と、底板及び天板と、２枚の側板と、複数のサーバの背面とによって後半部が規定される。電波吸収材は、天板、底板、２枚の側板のうちの少なくとも１つの内面の、後半部内の領域に設置されている。
【００２０】
より好ましくは、開口部はいずれもメッシュ状であり、メッシュの開口の大きさがラック内で通信モジュールにより行われる無線通信で使用される電波の半波長よりも小さくない。
【００２１】
さらに好ましくは、通信モジュールのアンテナは、アンテナ軸が背面扉に対して垂直となるように設置されたダイポールアンテナ又はモノポールアンテナを含む。
【００２２】
通信モジュールのアンテナは、アンテナが形成された基板が天板、底板、及び２枚の側板のうち、電波吸収材が設置された部材の方向を向くように形成されたスロットアンテナを含んでもよい。
【００２３】
好ましくは、前半部の天板、底板、２枚の側板のいずれの内面にも電波吸収体が設置されていない。
【図面の簡単な説明】
【００２４】
【図１】一般的なサーバラックの前方からの斜視図である。
【図２】サーバラックの後方からの斜視図である。
【図３】本発明の第１の実施の形態に係るサーバラック及びサーバ等の配置を示す、サーバラックの後方からの斜視図である。
【図４】図３に示すサーバラックに搭載されるサーバとサーバ背面に装着される通信モジュールとを示す図である。
【図５】通信モジュールの構成を示す模式図である。
【図６】通信モジュールの回路部の構成を示すブロック図である。
【図７】電波吸収体の有無による遅延スプレッドの累積確率分布の違いを示すグラフである。
【図８】アンテナ軸向き（主放射方向）の違いによる遅延スプレッドの累積確率分布の違いを示すグラフである
【図９】本発明の第２の実施の形態に係るサーバラックの構成を示す背面側からの斜視図である。
【発明を実施するための形態】
【００２５】
［第１の実施の形態］
以下の説明及び図面では、同一の部品には同一の参照番号を付してある。したがって、それらについての詳細な説明は繰返さない。
【００２６】
図２を参照して、サーバラック内部に多数のサーバを収容する場合、サーバ背面とサーバラックの背面部の内面との間に空間５４が形成される。サーバラック内で無線通信を行う場合、電波はこの空間内に閉じ込められ、外部にはほぼ漏れ出さないと考えられる。そこで、本実施の形態では、以下の様な位置に電波吸収体を設ける。
【００２７】
図３は、本発明の第１の実施の形態に係るサーバラックの内部を、サーバラックの内面とサーバラック内部に収容された多数のサーバ６０の上下中央付近にとともに示す。各サーバと接続するＬ２／Ｌ３スイッチ（アクセスポイント）６２を、サーバラックの上下中央付近に設置し、サーバ６０をその上下に複数隙間なく設置する。サーバ６０は、その背面がサーバラックの背面側を向くように、かつある程度の距離が筐体背面の内側表面との間に残るように収容される。こうした配置により、サーバの背面とサーバラック後部の内面との間に空間（後半部）が形成され、この内部で無線通信が行われる。サーバラック７０の筐体は金属製であり、その前面及び背面には、それぞれ、冷却気流が流れるように金属のメッシュ状となった開口部を持つ前面扉及び背面扉が設けられている。本実施の形態では、使用周波数の電波の漏れが極力少なくなるように、前面扉及び背面扉のメッシュの穴の大きさはいずれも半波長未満にする。例えば使用周波数が６０ＧＨｚの場合、メッシュの穴の大きさは２．５ｍｍ未満となる。
【００２８】
このようにサーバ及びＬ２／Ｌ３スイッチ６２をサーバラック内部に収容することにより、サーバラックの内部空間は、開口側の前半部と、背面側の閉鎖された後半部とに分離される。後半部の空間は、サーバラックの底板、天板、２枚の側板及び背面扉により画定される。
【００２９】
後述するように、サーバ６０及びＬ２／Ｌ３スイッチ６２の背面には、無線通信を行う通信モジュールの装着端子が設けられる。本実施の形態では、サーバラック７０は金属製の底板を有しており、底板４０及び天板４２の内面（サーバラック内部を向く面）であって、サーバ背面とサーバラック後部の内面との間の領域に、それぞれ電波吸収体８０及び８２が設けられている。サーバラック７０の底板がなく、コンクリートの床が見えている場合は、サーバラックの天板４２のみに電波吸収体８２を設ける。この電波吸収体８２が設けられた部分は、サーバラックの内面の最大面ではない。底板４０についても同様である。しかし、このように電波吸収体８２又は電波吸収体８０と８２とを設けることにより、後述するように遅延波は大幅に削減される。
【００３０】
図４を参照して、通信モジュール９４はＵＳＢインターフェイスを持つ。サーバ６０の背面９０にはＵＳＢ端子９２が設けられ、通信モジュール９４が装着される。Ｌ２／Ｌ３スイッチ６２の背面にも同様のＵＳＢ端子が設けられる。サーバ６０の各々及びＬ２／Ｌ３スイッチ６２のＵＳＢ端子にそれぞれ通信モジュール９４が装着される。
【００３１】
電波吸収体としては、入射波と反射波との両波を相殺させることで電波を吸収する電波吸収体、誘電損失又は磁性損失等を利用して電波を熱に変換することで電波を吸収する電波吸収体等を用いることができる。例えば、磁性材料を樹脂に混合してシート状とした電波吸収体、鉄粉を合成ゴムに混合してシート状とした電波吸収体、磁性材料と金属粉末等を樹脂に混合して液体状とした塗布型の電波吸収体、及びウレタンフォーム又はスチロール等の樹脂にカーボンを含浸してピラミッド状とした電波吸収体等を用いることができる。
【００３２】
通信モジュール９４は、図５（Ａ）に示すように、樹脂筐体１０６の中に樹脂からなるプリント基板１０８を形成し、プリント基板１０８上に回路部１００とダイポールアンテナ１０２とを実装したものである。回路部１００には、ＵＳＢ端子１０４が固定されている。ＵＳＢ端子１０４が図４のサーバ６０のＵＳＢ端子９２に装着される。
【００３３】
図６に示すように、回路部１００は、機能的には通常の無線通信モジュールと同様であって、ＵＳＢ端子１０４と接続されたＵＳＢインターフェイス回路１１０、ＵＳＢインターフェイス回路１１０に接続されたベースバンド信号処理回路１１２、及びベースバンド信号処理回路１１２とダイポールアンテナ１０２とに接続されたＲＦ回路１１４を含む。アンテナはその主放射方向がサーバラックの背面扉及び前面扉方向にあまり向かないものが望ましく、例えば、図５（Ａ）に示すようなダイポールアンテナで、その軸１２０がサーバラック筐体の背面扉に対して垂直になるように、すなわち放射方向が電波吸収体８０又は８２に向くように実装する。図５（Ａ）に示すように、アンテナと回路部１００とを同じダイポールアンテナ１０２上に既存のプリント基板技術を使って実装できる。
【００３４】
なお、アンテナは、上記したようにその主放射方向がサーバラックの背面扉又は前面扉方向を向かないようにサーバ６０の背面に装着可能なものであればどのようなものでもよい。例えば図５（Ｂ）に示すように、軸１４２がサーバラックの背面扉に垂直となるように形成されたモノポールアンテナ１４０を持つ通信モジュール１３０、又は図５（Ｃ）に示すように、軸１６２がサーバラックの左右の側面を結ぶ方向を向くように（主放射方向が電波吸収体８０及び８２を向くように）形成されたスロットアンテナ１６０を持つ通信モジュール１５０を使用してもよい。このように、ＵＳＢインターフェイス回路１１０を通じて、通信モジュール９４，１３０又は１５０とサーバ６０及びＬ２／Ｌ３スイッチ６２とを接続することにより、サーバ６０又はＬ２／Ｌ３スイッチ６２に特別な変更を与えることなく、通信ケーブルを無線化できる。
【００３５】
本実施の形態の効果を、遅延波の大きさ及び遅延の状況を表す一般的な指標である遅延スプレッドで見てみる。遅延スプレッドが大きいと、遅延波のレベルが大きく、また遅延量も大きく、通信環境が悪いことを表す。
【００３６】
図２及び図３に示すような環境で、以下の様な条件で遅延スプレッドをシミュレーションで求めた。すなわち、送信（アクセスポイント）アンテナをサーバ６０の筐体の背面から４ｃｍの位置でサーバラックの上下左右の中央におくことを想定した。サーバのＵＳＢ端子が様々な位置にあることを想定して、受信アンテナをサーバ筐体の背面から４ｃｍの距離のｘｙ面内（図４を参照）で２ｃｍおきに動かした。通信周波数は６０ＧＨｚとした。電波吸収体を図３に示すように底板４０の上面と天板４２の下側で無線通信空間に露出する部分に設けることを想定した。
【００３７】
図７に電波吸収体を配置した場合の遅延スプレッドの累積確率分布のグラフ１８０と、電波吸収体を配置していない場合の遅延スプレッドの累積確率分布のグラフ１８２とを示す。電波吸収体を配置することで、明らかに、遅延スプレッドが小さくなり、遅延波の影響を軽減できていることがわかる。
【００３８】
電波吸収体を設置した状態でダイポールアンテナの軸の向きを変えたときの遅延スプレッドへの影響を調べるために、ダイポールアンテナの軸の向きをｘ軸方向、ｙ軸方向、及びｚ軸方向（図４参照）に変えて、同様に遅延スプレッドの累積確率分布を計算した結果を図８に示す。図８を参照して容易に理解できるように、ダイポールアンテナ１０２の軸１２０をｙ軸方向にした場合、グラフ１９２に示されるように最も遅延スプレッドが大きい。軸１２０をｘ軸方向にした場合、グラフ１９０により示されるように遅延スプレッドはやや小さくなる。しかし、軸１２０をｚ軸方向にすると、グラフ１８０により示されるように、ｙ軸方向及びｘ軸方向のいずれの場合と比較しても大幅に遅延スプレッドが小さくなっている。ダイポールアンテナの場合、アンテナ軸の向きがｚ軸方向を向く場合とは、アンテナ軸の向きがサーバ筐体の背面及びサーバラックの背面扉と垂直をなす方向である。したがって、図４に示すような配置でかつ図５（Ａ）の通信モジュールを用いた場合に、最も遅延スプレッドが小さくなる。
【００３９】
なお、モノポールアンテナ１４０（図５（Ｂ））も放射方向に関してはダイポールアンテナと同様の振る舞いを示す。したがってモノポールアンテナの場合もダイポールアンテナと同様、軸がｚ軸方向を向くように形成するとよい。
【００４０】
モノポールアンテナの場合も、ダイポールアンテナの場合も、アンテナ軸を中心として放射状に電波が照射される。したがってこれらアンテナを図４に示すｚ軸周りでどのように回しても遅延スプレッドにはあまり影響がない。しかし、図５（Ｃ）に示すスロットアンテナの場合には事情が異なる。スロットアンテナの場合には、電波の放射方向は、スロットアンテナが形成された基板面に垂直な方向となる。図５（Ｃ）に示すアンテナの場合、放射方向は紙面に対して垂直な方向である。したがってこの場合、スロットアンテナが形成された基板面が電波吸収体の存在する方向を向くように通信モジュールを調整する必要がある。例えばスロットアンテナを使用した通信モジュールの場合には、サーバのＵＳＢ端子の向きと通信モジュールの基板面の向きとを、電波の照射方向が電波吸収体の方向となるように適合させる必要がある。そうした場合、例えば、図５（Ｃ）に示す軸１６４の周りにアンテナ基板を回転させることができるような通信モジュールがあれば、サーバの設置時にサーバラックの電波吸収体の設置位置にあわせて照射方向を調整できて便利である。
【００４１】
以上のように、本実施の形態に係るサーバラック、サーバ、及び通信モジュールにより、サーバラック内の金属空間内でも、効率的に遅延波の影響を低減でき、通信品質の劣化を防ぐことができる。サーバラック内のケーブル類の殆どを取り除くことができ、その結果、サーバラック内のサーバの冷却効率が高くなり、冷却のための電力消費を削減できる。
【００４２】
［第２の実施の形態］
上記実施の形態では、電波吸収体を天板４２の内面か、天板４２の内面及び底板４０の上面に設置している。しかし本発明はそのような実施の形態には限定されない。サーバラックの、サーバ背面とサーバラック後半部の内面とで形成される空間（図２に示す空間５４）のいずれかの内面で開口部を持つ背面扉以外の面に電波吸収体を設置することで第１の実施の形態で述べた効果が期待できる。この第２の実施の形態に係るサーバラック２１０は、底板４０及び天板４２と、側板４６及び４８と、図示しない前面扉と、背面扉４８とを含む。このサーバラック２１０の内部の空間には、第１の実施の形態と同様、複数のサーバ６０と、サーバラック２１０の上下の中心に設置されたＬ２／Ｌ３スイッチ６２とが収容される。サーバ６０の背面と、サーバラック２１０の背面扉４８の内面、底板４０及び天板４２、並びに２枚の側板４４及び４６とにより、無線通信が行われる空間５４が形成される。側板４４及び４６の内面のうち、この空間５４を画定する領域に電波吸収体２２０及び２２２がそれぞれ設置される。
【００４３】
サーバ６０と通信モジュールとについては図４に示したものを用いることができる。ただし、スロットアンテナを用いた場合には、アンテナは図４及び図５（Ｃ）に示したものから、図５（Ｃ）に示す軸１６４周りに９０度回転させる必要がある。
【００４４】
この第２の実施の形態に係るサーバラック２１０を用いた場合にも、第１の実施の形態と同様の効果を得ることができる。なお、第１の実施の形態で底板４０がない場合には底部分に電波吸収体は設置しなかった。すなわち、天板のみに電波吸収体を設けていた。この第２の実施の形態でも、第１の実施の形態と同様、側板４６及び４８の一方のみに電波吸収体を設けても良い。この場合、両方に電波吸収体を設けた場合と比較して効果は劣るが、それでも無線による通信を実現でき、ケーブル数を削減できるため、サーバの冷却効率を現状より高めることができる。
【００４５】
さらに、上記第１の実施の形態では、底板４０および天板４２のみに電波吸収体を設け、第２の実施の形態では側板４６及び４８のみに電波吸収体を設けている。しかし本発明はそのような実施の形態には限定されない。底板４０，天板４２，側板４６及び４８の全てについて、空間５４を画定する領域に電波吸収体を設置するようにしてもよい。
【００４６】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００４７】
３０，７０，２１０  サーバラック
４０  底板
４２  天板
４４，４６  側板
４８  背面扉
５０  前面扉
５２  開口
６０  サーバ
６２  Ｌ２／Ｌ３スイッチ
８０，８２，２２０，２２２  電波吸収体
９２，１０４  ＵＳＢ端子
９４，１３０，１５０  通信モジュール
１００  回路部
１０２  ダイポールアンテナ
１０４  ＵＳＢ端子
１０６  樹脂筐体
１０８  プリント基板
１４０  モノポールアンテナ
１６０  スロットアンテナ
【図１】
0006455928.tif 000002
【図２】
0006455928.tif 000003
【図３】
0006455928.tif 000004
【図４】
0006455928.tif 000005
【図５】
0006455928.tif 000006
【図６】
0006455928.tif 000007
【図７】
0006455928.tif 000008
【図８】
0006455928.tif 000009
【図９】
0006455928.tif 000010